(57)【要約】【課題】トラップユニット内に配置される薬剤の溶解速度を一定に保ち、トラップ内からのアンモニア臭の発生や、トラップ内や配管内での尿石の発生を長期的に防止が可能な小便器の提供。【解決手段】尿によって封水を形成するトラップユニットを有する小便器において、前記トラップユニット内には、尿石の生成を抑制する材料を含む固形の薬剤が配置されており、薬剤は、第１の面と、前記第１の面と対向する第２の面と、前記第１の面と前記第２の面の外周をつなぐ外側面と、を有し前記第１の面、前記第２の面および前記外側面の少なくとも１つの面には、前記薬剤の内部に尿が入りこむような空間を形成する溝又は凹みが形成され、前記外側面は、尿が接触しないように難水性材料で覆われていることを特徴とする、小便器。【選択図】  図１
2015168933.tif 000002
【特許請求の範囲】
【請求項１】
尿によって封水を形成するトラップユニットを有する小便器において、
前記トラップユニット内には、
尿石の生成を抑制する材料を含む固形の薬剤が配置されており、
前記薬剤は、
第１の面と、
前記第１の面と対向する第２の面と、
前記第１の面および前記第２の面の外周をつなぐ外側面と、を有し、
前記第１の面、前記第２の面および前記外側面の少なくとも１つの面には、前記薬剤の内部に尿が入りこむような空間を形成する溝または凹みが形成され、
前記外側面は、尿が接触しないように難水性材料で覆われていることを特徴とする、小便器。
【請求項２】
前記薬剤は、前記第１の面および前記第２の面の双方に前記凹みが形成され、
双方の凹みが連通した貫通孔が形成されていることを特徴とする、請求項１に記載の小便器。
【請求項３】
前記薬剤の形状は円柱であることを特徴とする、請求項１又は２に記載の小便器。
【請求項４】
前記第１の面または前記第２の面が難水性材料で覆われていることを特徴とする、請求項１〜３のいずれか１項に記載の小便器。
【請求項５】
前記第１の面および前記第２の面が難水性材料で覆われていることを特徴とする、請求項１〜３のいずれか１項に記載の小便器。
【請求項６】
前記トラップユニットは前記難水性材料によって形成されてなり、
前記薬剤の前記外側面と前記第１の面または前記第２の面とが前記トラップユニットによって覆われていることを特徴とする、請求項４に記載の小便器。
【請求項７】
前記トラップユニットは胴体部と底面とを有し、
前記薬剤の前記外側面は前記トラップユニットの胴体部により、
前記薬剤の前記第１の面または前記第２の面は前記トラップユニットの底面により覆われていることを特徴とする、請求項４または６に記載の小便器。
【請求項８】
尿によって封水を形成するトラップユニットにおいて、
前記トラップユニット内には、
尿石の生成を抑制する材料を含む固形の薬剤が配置されており、
前記薬剤は、
第１の面と、
前記第１の面と対向する第２の面と、
前記第１の面および前記第２の面の外周をつなぐ外側面と、を有し、
前記第１の面、前記第２の面および前記外側面の少なくとも１つの面には、前記薬剤の内部に尿が入りこむような空間を形成する溝または凹みが形成され、
前記外側面は、尿が接触しないように難水性材料で覆われていることを特徴とする、
トラップユニット。
【発明の詳細な説明】
【技術分野】
【０００１】
本発明は、尿によって封水を形成する小便器およびトラップユニットに関する。
【背景技術】
【０００２】
使用後に毎回水を供給することで、衛生性を維持する水洗式の小便器が広く普及している。人の尿は雑菌を含んでおり、使用後に小便器のボウル等に尿が残留すると、その尿中の雑菌が時間経過とともに更に増殖する。さらに、尿中の尿素を分解してアンモニアが生成されることで、アンモニア臭や尿石（尿の含有成分に由来するリン酸カルシウムやリン酸マグネシウム等の固形物）が発生する。このため、一般的な水洗式小便器では、小便器のボウルに水を吐出することにより、ボウルに残留している尿を洗い流す。
【０００３】
また、この従来の水洗式小便器では、ボウルに水を吐出することで、ボウルの下流に接続されているトラップ内にその水を流入させ、貯留されている尿をその水と置換させて排出している。さらに、トラップの下流に接続される排水管内に残留している尿を、ボウルからトラップを介して供給される水によって洗い流す。その後、トラップ内を水で満たした状態で水の吐出を終える。これにより、ボウル等に残留していた尿を、尿中の雑菌が著しく増殖する前に洗い流し、アンモニアの生成や尿石の発生を抑制し、臭気の発生や尿石による排水管詰まりを防止している。トラップ内を満たす水は封水として機能し、排水管からの臭気の逆流を防止する。洗浄後にはトラップ内に水しか存在しないので、トラップ内の封水が揮発し、小便器が設置されるトイレ室内に拡散した場合でも、その揮発成分が臭気の原因となることはない。
【０００４】
このような水を使用する設備機器に対し、近年、環境意識の高まりを受け、節水性能が要求されている。上記のような水洗式便器に対しても高い節水性能が要求されており、使用後の水の使用量を削減する取り組みが行われている。
【０００５】
節水の要求に対応する小便器の一例として、特表２００７−５１８００５号公報（特許文献１）に示されるようなトラップを備えた、非水洗式の小便器が知られている。一般的な水洗小便器が、使用後に毎回水を供給し、トラップ内に貯留される水を封水として用いるのに対し、特表２００７−５１８００５号公報に示されるトラップを備えた非水洗式小便器では、使用後の水の供給は基本的に行わず、トラップ内に貯留されている尿を封水として用いている。
【０００６】
トラップ内に貯留されている尿を封水として用いる場合、その尿が腐敗することでアンモニアが揮発してトイレ室内に拡散することによるアンモニア臭の発生や、トラップ内と配管内で尿石が発生することが懸念される。この懸念に対して、特表２００７−５１８００５号公報で示されたトラップでは、トラップの上やトラップと配管の接続部付近に薬剤を設置する事で問題の解決を図っている。トラップの上に、クエン酸等の薬剤が配置されており、尿との接触によって溶解した薬剤が、尿とともにトラップ内に流入する。更に、尿を配管に排出する位置にもクエン酸等の薬剤が配置されており、その接触によって溶解した薬剤が、尿とともに配管内に流入するように構成されている。
【先行技術文献】
【特許文献】
【０００７】
【特許文献１】特表２００７−５１８００５号公報
【発明の概要】
【発明が解決しようとする課題】
【０００８】
しかしながら、特表２００７−５１８００５号公報に記載されたような非水洗式の小便器は、使用後に水を流さない。そのため、小便器の使用時に尿が薬剤にかかった時のみ薬剤が溶解する。その為、小便器の使用頻度が低い場合、トラップ内に薬剤が流入しにくくなる。これにより、トラップ内の尿が腐敗しやすくなり、アンモニア臭の発生やトラップ内や配管内で尿石が発生しやすくなる。
【０００９】
トラップユニット内に薬剤を安定的に溶解させる方法としては、薬剤をトラップユニット内に配置し、尿に浸漬させておくことが考えられる。しかしながら、薬剤を尿に浸漬させたままの状態にすると、薬剤の溶解が進むにつれ尿と接触する薬剤の表面積が低下する。これにより、薬剤の溶解速度が低くなるという問題がある。溶解速度が低くなると、トラップユニット内からのアンモニア臭の発生や、トラップユニット内や配管内での尿石の発生を長期的に防止することが困難となる。
【００１０】
そこで本発明は、薬剤の溶解速度を一定に保ち、トラップユニット内からのアンモニア臭の発生や、トラップユニット内や配管内での尿石の発生を長期的に防止することを目的としている。
【課題を解決するための手段】
【００１１】
上記目的を達成するために、本発明は、尿によって封水を形成するトラップユニットを有する小便器において、前記トラップユニット内には、尿石の生成を抑制する材料を含む固形の薬剤が配置されており、前記薬剤は、第１の面と、前記第１の面と対向する第２の面と、前記第１の面および前記第２の面の外周をつなぐ外側面と、を有し、前記第１の面、前記第２の面および前記外側面の少なくとも１つの面には、前記薬剤の内部に尿が入りこむような空間を形成する溝または凹みが形成され、前記外側面は、尿が接触しないように難水性材料で覆われていることを特徴とする。
【発明の効果】
【００１２】
本発明によれば、薬剤の溶解速度を一定に保ち、トラップユニット内からアンモニア臭の発生や、トラップユニット内での尿石の発生を長期に防止することが可能となる。
【図面の簡単な説明】
【００１３】
【図１】本発明で用いることが可能な小便器の一例を示す概略図である。
【図２】図１の断面図である。
【図３】本発明の実施形態に係るトラップユニットの断面図である。
【図４】本発明の実施形態に係る薬剤の概略図である。
【図５】本発明の実施形態に係る薬剤の概略図である。
【図６】本発明の実施形態に係る薬剤の概略図である。
【図７】本発明の実施形態に係る薬剤の概略図である。
【図８】本発明の実施形態に係るトラップユニットの概略図である。
【図９】本発明の実施例に係る耐久試験の結果を示す図である。
【発明を実施するための形態】
【００１４】
以下、本発明を詳細に説明する。
【００１５】
（小便器）
本発明による小便器は、尿によって封水を形成するトラップユニットを有する小便器である。前記トラップユニット内には、尿石の生成を抑制する材料を含む固形の薬剤が配置されており、薬剤は、第１の面と、第１の面と対向する第２の面と、第１の面と第２の面の外周をつなぐ外側面と、を有し、第１の面、第２の面および外側面の少なくとも１つの面には、薬剤の内部に尿が入りこむような空間を形成する溝又は凹みが形成され、外側面は、尿が接触しないように難水性材料で覆われていることを特徴とする。
【００１６】
まず、図１，２を参照して本発明において用いることが可能な小便器ＵＳを説明する。図１は、小便器ＵＳの正面視を示す概略図である。ここに示す小便器はあくまでも一例であり、本発明の小便器はこれに限定されるものではない。
【００１７】
小便器本体１０は、その背面をトイレ室などの壁ＷＬに当接させて設置される。小便器本体１０は、陶器や樹脂材料といった任意の形に形成可能な材料及び形成方法で形成されているものである。
【００１８】
小便器本体１０は、ボウル部１０３と尿によって封水を形成するトラップユニット３０とを有する。ボウル部１０３は、使用者が立位姿勢で排出した尿を受ける部分である。ボウル部１０３は、立壁部１０４及び底面部１０５を有する。立壁部１０４は、用便中の使用者と対面してその尿を直接受ける部分であり、上下左右に延びる壁状部分である。底面部１０５には、底面開口部１０６が形成されている。底面部１０５は、立壁部１０４で受けて下方に流れた尿を、排水口である底面開口部１０６に案内する部分であり、前後左右に延びる床状部分である。底面部１０５によって底面開口部１０６に案内された尿は、底面開口部１０６からトラップユニット３０を通り、ボウル部１０３外である排水管ＷＴに排出される。本発明で用いられるトラップユニット３０については、後ほど説明する。
【００１９】
小便器本体１０は、ノズルカバー１０１と人体検知センサー１０２と衛生維持装置２０と、を有するものを用いることができる。小便器本体１０がこれらを有する場合の好ましい態様の一例を以下に説明する。
【００２０】
ノズルカバー１０１は、後述するノズルユニット２０２及びボウル乾燥ファン２０３を覆うためのカバーである。ノズルユニット２０２及びボウル乾燥ファン２０３は、小便器本体１０の上方に配置されているのが好ましい。よって、ノズルカバー１０１も小便器本体１０の上方に配置されているのが好ましい。
【００２１】
人体検知センサー１０２は、小便器ＵＳを使用する使用者を検知するためのセンサーである。人体検知センサー１０２は、ボウル部１０３の中央近傍の裏側に設けられているのが好ましい。人体検知センサー１０２は、マイクロ波を用いたセンサーであることが好ましい。人体検知センサー１０２は、立壁部１０４を透過させてマイクロ波を照射し、使用者の体で反射して戻ってくる反射波によって、使用者が使用中であることや、使用を終えて小便器ＵＳを離れたことを検知することができるものが好ましい。
【００２２】
衛生維持装置２０は、コントロールユニット２０１と、ノズルユニット２０２と、ボウル乾燥ファン２０３と、を有するものを用いることができる。衛生維持装置２０は、小便器本体１０の背面側に設けられているのが好ましい。コントロールユニット２０１は、ノズルユニット２０２及びボウル乾燥ファン２０３を駆動する制御信号を出力する。
【００２３】
ノズルユニット２０２は、ボウル部１０３の立壁部１０４上方に設けられ、コントロールユニット２０１から供給される液剤をボウル部１０３内に向けて吐出するものであることが好ましい。ノズルユニット２０２がボウル部１０３に液剤を吐出することで、ボウル部１０３の表面に存在する尿を発生源とするアンモニア臭や尿石の発生を抑制することが可能となる。液剤は、ボウル部１０３の表面に存在する尿を発生源とするアンモニア臭や尿石の発生を抑制する薬液が含まれている。ノズルユニット２０２の前面には、薄板状のノズルカバー１０１が設けられ、使用者から見えないようノズルユニット２０２を覆って、意匠性を向上させることが好ましい。
【００２４】
ボウル乾燥ファン２０３は、ボウル部１０３の立壁部１０４上方に設けられ、ノズルカバー１０１によって覆われているのが好ましい。ボウル乾燥ファン２０３の駆動により、ボウル部１０３内に送風してボウル部１０３を乾燥させることができる。
【００２５】
（トラップユニット）
図３を参照して本発明で用いられるトラップユニットを説明する。図３に示すように、トラップユニット３０は、胴体部３０１と底面３０２とを有するものである。
【００２６】
トラップユニット３０は、排水口である底面開口部１０６の下方に設けられる。トラップユニット３０は、底面開口部１０６から排出された尿をその内部に流入させる開口部を有する。また、トラップユニット３０は、流れ込んだ尿を貯留する胴体部３０１を有する。トラップユニット３０は、流れ込んだ尿を貯留して、尿によって封水を形成するように構成されている。トラップユニット３０の胴体部には排出口が設けられており、トラップユニット３０内に貯留できなくなった尿が排出口から排出される。トラップユニット３０内には、薬剤３１が尿に浸漬するぐらいの尿量が貯留されることが好ましく、そのために排出口は胴体部の上方側に設けられていることが好ましい。排出口から排出された尿は排水管ＷＴに排出される。このように尿を封水とすることで、トラップユニット３０の下流に接続されている排水管ＷＴからの臭気の逆流を防止している。トラップユニット３０は、底面開口部１０６に挿入して設置されており、交換可能に構成されている。トラップユニット３０が交換可能であることで、トラップユニット３０内に尿石が発生し、排水不良が起きたとしても、トラップユニット３０を交換することにより排水性能を復活させることが可能となる。
【００２７】
トラップユニット３０の形状としては、円柱、三角柱、四角柱などが挙げられる。例えば、トラップユニット３０の形状が円柱で有る場合、円柱の側面によって形成される部分が本発明における胴体部３０１であり、円柱の底面である円が本発明における底面３０２である。トラップユニット３０の形状が円柱である場合、薬剤３１をトラップユニット３０内に配置しやすい。
【００２８】
トラップユニット３０を構成する材料としては、水に溶けにくく、構造体として強度があり、酸に強いものであれば、特に限定されない。具体的な材料としては、樹脂や陶器が挙げられる。樹脂としては、ポリプロピレン（PP）、ポリメタクリ酸メチル（PMMA）、ポリカーボネート（PC）、ポリエチレン（PE）、ポリビニルアルコール（PVA）、ポリ乳酸、エポキシ樹脂、ポリエステル樹脂などの公知の樹脂を用いることができる。
【００２９】
また、トラップユニット３０内には、薬剤３１を配置するためのガイド３０３を設けても良い。ガイド３０３は、トラップユニット３０内に薬剤３１を保持するためのものであり、ガイド３０３の上に薬剤３１を配置することができるように構成されている。ガイド３０３は、トラップユニット３０の胴体部３０１の内壁に設けられているものが好ましい。具体的なガイド３０３の例としては、トラップユニット３０の胴体部３０１の内壁に凸部を数か所設けた構成や、トラップユニット３０の内壁の内周を覆うような凸部を設けた構成が挙げられる。また、ガイド３０３は、トラップユニット３０内に配置できる薬剤３１の大きさをできるだけ大きくするために、トラップユニット３０の底面付近に設けられるのが好ましい。
【００３０】
ガイド３０３は、尿がトラップユニット３０内を円滑に流れるような構成とすることが好ましい。例えば、ガイド３０３に尿が通るための連通孔を設けた構成が挙げられる。具体的な構成の例として、前述の凸部に、凸部を連通する孔が設けられている構成が挙げられる。孔の数や大きさは、配置する薬剤の大きさやトラップユニット３０内を流れる尿量を考慮して決めることができる。ガイド３０３に孔を設ける場合、薬剤３１は、ガイド３０３に設けられた孔を塞がないように配置される。ガイド３０３に孔を設けることで、トラップユニット３０内に流入した尿が、ガイド３０３の孔を通って薬剤３１の下に入りこんだり、薬剤３０の下に存在する尿がガイド３０３の孔を通って、トラップユニット３０に設けられた排出口から排出させたりすることが可能となる。また、薬剤３１に溝や貫通孔が形成されている場合、トラップユニット３０内に流入した尿が、ガイド３０３に設けられた孔を通って、薬剤３１の下に入り込み、この尿が薬剤３１に設けられた溝や貫通孔に入り込み、薬剤３１を溶解させることが可能となる。
【００３１】
本発明では、トラップユニット３０内に貯留された尿はｐＨが３以上８以下に保たれることが好ましい。ｐＨを３以上にすることで、配管ＷＴの腐食を防止することができる。またｐＨを８以下にすることで、不揮発性のアンモニウムイオン（NH4+）が、揮発性のアンモニア（NH3）に変化するのを抑制し、アンモニアが空気中に拡散するのを防止することができる。また、本発明では、トラップユニット内のｐＨを３以上７以下に保つことがさらに好ましい。ｐＨ７以下とすることで、尿石の生成を抑制することが可能となる。
【００３２】
（薬剤）
本発明のトラップユニット３０内には、尿石の生成を抑制する材料を含む固形の薬剤３１が配置されている。本発明の薬剤３１は、第１の面３３と、第１の面３３と対向する第２の面３４と、第１の面と第２の面との外周をつなぐ外側面３２と、を有し、第１の面３３、第２の面３４および外側面３２の少なくとも１つの面には、薬剤の内部に尿が入りこむような空間を形成する溝又は凹み３５が形成されている。外側面３２は難水性材料で覆われている。このような構成とすることで、第１の面３３と第２の面３４と溝又は凹み３５の表面が尿と接触し、溶解する。薬剤３１が尿と接触し溶解するのに伴い、尿と接触する薬剤の表面積が次第に大きくなる。従って、薬剤の溶解速度を一定に保ち、トラップユニット内からアンモニア臭の発生や、トラップユニット内での尿石の発生を長期に防止することが可能となる。
【００３３】
図に本発明において用いられる薬剤の具体的な例を示す。図４は薬剤の形状が四角柱であり、第１の面３３に円柱状の凹み３５が形成されている態様を示す図である。また、図５は薬剤の形状が四角柱であり、外側面３２に溝３５が形成されている態様を示す図である。
【００３４】
薬剤３１が尿と接触し溶解するのに伴い、尿と接触する薬剤の表面積が次第に大きくなることで、薬剤の溶解速度を一定に保つことができる理由としては以下のように考えているが、これに限定されるものではない。薬剤３１の溶解速度は、溶解速度式（Noyes-Whitney式）から求めることができる。溶解速度式はｄＣ／ｄｔ＝ｋ＊Ｓ（Ｃｓ-Ｃ）で表される。ここで、ｄＣ／ｄｔは溶解速度、Ｃはｔ時間後における溶液の濃度、ｋはみかけの溶解速度定数、Ｃｓは固体の溶解度、Ｓは固体の表面積を示す。ここで、本明細書では「固体」を薬剤とみなし、「固体の表面積」は、尿と接触する薬剤の表面積とみなす。この式より、溶解速度は尿と接触する薬剤３１の表面積に比例することが分かる。つまり、尿と接触する薬剤３１の表面積が大きいほど溶解速度は速くなる。一方、薬剤の溶解速度はトラップユニット３０内の尿量に反比例する。つまり、トラップユニット３０内に存在する尿量が多いほど、溶解速度は低下する。なぜならば、トラップユニット３０内の尿の容積が大きいと、トラップユニット３０内の薬剤の濃度が均一になりにくくなり、みかけの溶解速度定数が小さくなるからである。小便器を使用するに従い、溶解した量だけ薬剤の体積が減少する。その結果、トラップユニット３０内に空間ができ、トラップユニット３０内の尿の容積が大きくなる。これにより、小便器を使用するに従い、トラップユニット内に溜まる尿量が多くなり、みかけの溶解速度定数が小さくなる。よって、薬剤の溶解速度が低下してしまうおそれがある。しかしながら、本発明では、薬剤３１の外側面３２は難水性材料で覆われている。これにより、薬剤３１が尿と接触し溶解するのに伴いトラップユニット内の尿量が多くなることにより薬剤のみかけの溶解速度定数が小さくなっても、尿と接触する薬剤の表面積が次第に大きくなるため、薬剤３１の溶解速度を一定に保つことが可能となると考える。
【００３５】
トラップユニット３０は、尿によって封水しているため、トラップユニット３０内に配置された薬剤３１は尿に浸漬している。よって、小便器の使用頻度によらず、薬剤３１が尿との接触により溶解し消失しない限り、薬剤３１は尿と接触しており、薬剤３１は溶解していると考えられる。これにより、アンモニア臭の発生や、トラップユニット３０内や配管ＷＴ内での尿石の発生を抑制することが可能となる。
【００３６】
本発明において、薬剤３１は、第１の面３３および第２の面３４の双方に凹みが形成され、双方の凹みが連通した貫通孔が形成されていてもよい。これにより、薬剤３１が尿と接触し溶解するのに伴い、尿と接触する薬剤の表面積が次第に大きくなるため、薬剤３１の溶解速度を一定に保つことが可能となる。具体的な態様の例を図６および図７に示す。図６は、円柱の薬剤を用いた場合である。図７は、四角柱の薬剤を用いた場合である。
【００３７】
本発明において、薬剤３１は、外側面３２と、第１の面３３または第２の面３４が難水性材料で覆われていても良い。これにより、尿と接触する薬剤の表面積を小さくし、薬剤の効果を長い時間得ることができる。また、薬剤が尿と接触し溶解するのに伴い、尿と接触する薬剤の表面積が次第に大きくなるため、トラップユニット３０内の尿量が増加しても、薬剤の溶解速度を一定に保つことが可能となる。
【００３８】
本発明において、外側面３２および第２の面３４が難水性材料で覆われており、第１の面３３は、底面開口部１０６の向きに面していても良い。これにより、難水性材料で覆われていない第１の面３３および連通口３５の表面は尿と接触しやすくすることができる。よって、薬剤３１が尿と接触し溶解するのに伴い、尿と接触する薬剤の表面積が次第に大きくなるため、薬剤３１の溶解速度を一定に保つことが可能となる。
【００３９】
本発明において、薬剤３１は、外側面３２と、第１の面３３および第２の面３４が難水性材料で覆われていても良い。これにより、尿と接触する薬剤の表面積を小さくし、薬剤の効果を長い時間得ることができる。また、薬剤３１が尿と接触し溶解するのに伴い、尿と接触する薬剤３１の表面積が次第に大きくなるため、トラップユニット３０内の尿量が増加しても、薬剤３１の溶解速度を一定に保つことが可能となる。
【００４０】
図８に示すように、本発明において用いられる薬剤３１は難水性材料により形成されたトラップユニット３０によって覆われていても良い。この場合、薬剤３１とトラップユニット３０の間に隙間がないように密着させて覆う。薬剤３１の外側面３２と、第１の面３３または第２の面３４がトラップユニット３０によって覆われていることが好ましい。薬剤３１の外側面３２がトラップユニット３０の胴体部３０１により覆われており、薬剤３１の第１の面または第２の面が底面３０２に覆われていることがさらに好ましい。また、薬剤３１の外側面３２と第２の面３４がトラップユニット３０によって覆われており、第１の面３３は底面開口部１０６に面していても良い。
【００４１】
本発明において用いられる薬剤３１の形状は円柱、三角柱、四角柱などが考えられ、特に限定されない。円柱の場合、トラップユニット３０内に配置しやすい。
【００４２】
（薬剤の材料）
本発明において用いられる薬剤３１の材料として、尿石の生成を抑制する材料と、表面を覆う難水性材料とを含む。尿石の生成を抑制する材料として、酸、殺菌剤、微生物のいずれか１つ以上を含むことが好ましい。
【００４３】
尿石の生成を抑制する材料として酸を含むことで、トラップユニット３０内に存在するウレアーゼの活性を抑制し、尿素がアンモニアに分解されにくくなる。これにより、アンモニアの発生を抑制することが可能である。また、アンモニアが生成したとしても、アンモニアを中和するができるため、トラップユニット３０内のｐＨを低く保つことができる。
【００４４】
酸の飽和溶解度は0.5mg/ml以上20mg/ml以下であることが好ましい。本発明においては、薬剤は尿に浸漬している。よって、このような飽和溶解度を有する酸を用いることで、トラップユニット内において短期間で薬剤が溶けきってしまうことを防ぎ、長期間性能を維持することが可能となる。また、発生したアンモニアを中和することが可能な飽和溶解度得ることができる。好ましい酸として、具体的には、例えば無水フタル酸、フタル酸、フマル酸、安息香酸、エデト酸などが挙げられる。
【００４５】
尿石の生成を抑制する材料として、殺菌剤を含むことが好ましい。殺菌剤を含むことで尿に含まれる雑菌を死滅させ、アンモニアの発生を抑制することが可能となる。尿石の生成を抑制する材料として殺菌剤のみを用いる場合は、酸と同様に飽和溶解度は20mg/ml以下であることが好ましい。これにより、トラップユニット内において短期間で薬剤が溶けきってしまうことを防ぐことが可能となる。
【００４６】
尿石の生成を抑制する材料として、微生物を含むことが好ましい。微生物を含むことで、トラップユニット３０内で発生したアンモニアを資化し、トラップユニット３０内のアンモニア量が抑制される。具体的な微生物としては、バチルス菌が挙げられる。
【００４７】
本発明において用いられる薬剤３１において、難水性材料は、水に溶けにくい材料もしくは水に溶けない材料である。難水性材料の溶解度は使用する尿石の生成を抑制する材料の溶解度より低い方が好ましい。難水性材料は、尿石の生成を抑制する材料が尿との接触により溶解し消失してしまうより先に消失しないようにするのが好ましい。よって、難水性材料の溶解度と尿石の生成を抑制する材料の溶解度は差が有る方が好ましい。好ましい材料としては、樹脂が挙げられる。さらに具体的な材料としては、エポキシ樹脂やポリエステル樹脂などが挙げられる。
【００４８】
本発明において用いられる薬剤３１の材料として、他に界面活性剤、香料などを含んでいても良い。香料を含むことで、アンモニア臭が発生したとしても、臭いのマスキングが可能となる。
【００４９】
（薬剤の併用）
本発明において、本発明で用いられる薬剤３１とは別に、補助薬剤を併用してもよい。この補助薬剤は、本発明で用いられる薬剤３１の効果を妨げないものであればとくに限定されない。補助薬剤に含まれることが可能な材料としては、陰イオン性界面活性剤、陽イオン界面活性剤、両性界面活性剤、非イオン界面活性剤などの界面活性剤、植物香料、動物性香料、合成香料などの香料、枯草菌、消臭剤、着色剤、油性成分の乳化可溶化剤、キレート剤、増量剤、溶解性調整剤、漂白剤、撥水剤、充填剤、ｐＨ調整剤、増粘剤、薬剤安定性向上剤、成型性向上剤、無機系ビルダー、有機系ビルダー、酵素などが挙げられる。補助薬剤を用いる目的に合わせて用いる材料を適宜選択できる。補助薬剤は、選択した材料を混合し、これを所望の形状に成型して得ることができる。補助薬剤の形状は、トラップユニット３０内に配置できるものであれば、特に限定されない。補助薬剤は、本発明で用いられる薬剤３１の効果を妨げないように配置されていれば、トラップユニット３０内のどこに配置されていても良い。例えば、トラップユニット３０内の底面３０２に、本発明で用いられる薬剤３１と接触しないように配置されることが挙げられる。
【００５０】
（製造方法）
本発明で用いられる薬剤の製造方法は、尿石の生成を抑制する材料を所望の形状に成型し成型体を得る工程と、成型体の表面を難水性材料により覆い、薬剤を作製する工程と、を有する。
【００５１】
本発明で用いられる尿石の生成を抑制する材料を混合する方法は、材料が混合できれば、特に限定されない。撹拌機やミキサー、ボールミル、ジェットミルなどの公知の方法を用いることができる。
【００５２】
本発明で用いられる尿石の生成を抑制する材料の成型方法は、材料を所望の形状に成型できれば、特に限定されない。成型方法としては、練り出し（押し出し）成型、圧縮成型、打錠成型、溶融固化成型などで製造することができる。この中でも、同じ薬剤の量を最も小容積にできるため、圧縮成型であることが好ましい。
【００５３】
本発明において、成型体の表面を難水性材料により覆う方法としては、以下の方法が挙げられる。成形体の表面に難水性材料をコーティングする方法と、トラップユニット３０が難水性材料により形成されている場合において、薬剤３１の外側面３２と第１の面３３または第２の面３４とをトラップユニット３０により覆う方法である。
【００５４】
成型体の表面に難水性材料をコーティングする方法としては、難水性材料の被膜を形成することが可能なコーティング組成物を、スプレーコート、ディップコート、ロールコート、刷毛塗りなど公知の方法を用いることができる。この中でも、コーティングが容易であるため、刷毛塗りが好ましい。
【００５５】
本発明において、トラップユニット３０が難水性材料により形成されている場合は、薬剤３０の外側面３２と第１の面３３または第２の面３４とがトラップユニット３０により覆う方法を用いることができる。具体的には、トラップユニット３０の胴体部３０１の内壁と、成型体の外側面とを密着させ、トラップユニット３０の底面３０２の内壁と成型体の第１の面３３または第２の面３４とを密着させる方法を用いることができる。
【００５６】
胴体部３０１および底面３０２の内壁のかわりに、トラップユニット３０を外筒と内筒の二重とし、成型体の外側面を内筒の側面に密着させても良い。この場合、トラップユニット３０に流入した尿は、外筒と内筒の間を通り、薬剤３０の下に入りこむ。薬剤３０に溝や貫通孔が形成されている場合、この尿は溝や貫通孔に入り込み、薬剤３０を溶解させる。トラップユニット３０に貯留できなくなった尿は、外筒に設けられた排出部から排出される。
【実施例】
【００５７】
本発明を以下の例に基づいて具体的に説明するが、本発明はこれらの例に限定されるものではない。
【００５８】
（実施例）
薬剤の材料として、主成分として酸である安息香酸、ジンクピリチオン、およびブロノポールを用いた。安息香酸は粒径が約１００μｍにすり潰したものを用いた。ジンクピリチオンは粒径約１００μｍのものを用いた。ブロノポールは粒径約１ｍｍのものを用いた。これらの材料をメノウ乳鉢で混合し、約５００ｋｇ/ｃｍ２の面圧で、圧縮成型によって中抜きの貫通孔を有する円柱形状に成型し、成型体を得た。
【００５９】
このようにして得られた円柱形状の成型体において、円状の面のうち一方の表面を、エポキシ樹脂を含む難水性材料で刷毛塗り法により約２ｍｍの厚みでコーティングした。このコーティングした成型体をトラップユニット内に配置した。この際、成型体のコーティングしていない円状の面がトラップユニットの底面と、成型体の側面がトラップユニットの内壁と、それぞれ隙間が無いように密着させて配置した。以上より、実施例では、薬剤に設けられた貫通孔の表面のみ水と接触する構成とした。
【００６０】
（比較例）
成型体の表面にコーティングしない以外は実施例と同様にし、比較例の薬剤を得た。
【００６１】
（耐久試験）
小便器として水洗式の小便器を用いた。トラップユニットは、上記で得られたものを用いた。試験は、非水洗式の小便器における薬剤の溶解性を評価するために、洗浄水を尿に見立てた。すなわち、洗浄水の量は平均的な成人男性１回あたりの排尿量に近似させ、洗浄頻度は使用頻度の比較的高いパブリックのトイレを想定して設定した。具体的な試験条件を以下に示す。１日のうち８時間は、実際に小便器を用いる場合の使用時間帯を想定し、洗浄水による洗浄と停止とを繰り返した。洗浄の条件は、１．６Ｌ／ｍｉｎで８秒間洗浄水を流した後、洗浄を３分２８秒間停止させた。小便器の１日の使用回数を１３３回と想定し、上述の条件にて１３３回洗浄と停止を繰り返した。残りの１６時間は、実際に小便器を用いる場合の未使用の時間帯を想定し、トラップユニット内に水が充満し、薬剤が完全に水に浸漬している状態で放置した。
【００６２】
試験の結果を図７に示す。横軸は日数、縦軸は薬剤に含まれる安息香酸の溶解速度である。安息香酸の溶解速度は、以下のように求めた。耐久試験において、通水を再開する直前のトラップユニット内の、水１ｍｌ中に含まれる安息香酸の量（ｍｇ）をイオンクロマトグラフィーによって測定した。安息香酸の量は、既知の濃度のサンプルを同条件で測定し、得られたクロマトグラムのピーク面積から換算して算出した。ここで求めた安息香酸量を１６時間に溶解した量と仮定し、1時間に溶解した安息香酸量を算出し、その値を安息香酸の溶解速度とした。
【００６３】
この結果から、比較例では、徐々に溶解速度が低くなってきていることが分かる。一方、実施例では、溶解速度の低下を抑制することができる。この結果、薬剤の溶解速度を一定に保ち、薬剤の効果を長時間得ることが可能となる。長期間薬剤の溶解速度を一定に保つことで、トラップ中のpHの上昇を抑制し、アンモニア臭の発生や尿石の発生を長期間防止することができた。
【符号の説明】
【００６４】
ＵＳ：小便器
ＷＬ：トイレ室の壁
ＷＴ：配管
１０：小便器本体
１０１：ノズルカバー
１０２：人体検知センサー
１０３：ボウル部
１０４：立壁部
１０５：底面部
１０６：底面開口部
２０：衛生維持装置
２０１：コントロールユニット
２０２：ノズルユニット（液剤吐出手段）
２０３：ボウル乾燥ファン
３０：トラップユニット
３０１：胴体部
３０２：底面
３０３：ガイド
３１：薬剤
３２：外側面
３３：第１の面
３４：第２の面
３５：溝又は凹部
【図１】
2015168933.tif 000003
【図２】
2015168933.tif 000004
【図３】
2015168933.tif 000005
【図４】
2015168933.tif 000006
【図５】
2015168933.tif 000007
【図６】
2015168933.tif 000008
【図７】
2015168933.tif 000009
【図８】
2015168933.tif 000010
【図９】
2015168933.tif 000011